【手続補正書】
【提出日】平成18年2月24日(2006.2.24)
【手続補正１】
【補正対象書類名】明細書
【補正対象項目名】請求項１
【補正方法】変更
【補正の内容】
【請求項１】
最高濃縮度が４．９乃至５．０ｗｔ％の範囲にある核燃料物質からなるペレットを被覆管内に充填した燃料棒群が、９行９列の正方格子配列に規則正しく配置されると共に、燃料棒複数本相当の領域を占める水ロッドを備えたＤ格子炉心形状の沸騰水型原子炉に用いる燃料集合体であって、前記燃料棒群は、可燃性毒物を含有しない第１燃料棒と、可燃性毒物を含有する第２燃料棒とからなり、前記燃料集合体の横断面のうち、最高濃縮度を有する燃料棒を最も多く含む横断面において、最高濃縮度を有する燃料棒の少なくとも１本以上が最外層から内側に向かって順に第１層目、第２層目、第３層目…とする全ての層に配され、前記正方格子配列のうち、制御棒挿入側のコーナ燃料棒に隣り合う２つのコーナ燃料棒を結ぶ対角線上に位置する格子を除く領域を、制御棒挿入側に近い領域を第１領域Ｗと、制御棒挿入側から遠いもう一方の領域を第２領域Ｎとの２つの領域に分割するとき、前記水ロッドは、燃料棒９本分の領域を占める１本の角型形状の水ロッドであると共に、前記対角線に対し非対称となるように反制御棒側位置にずれて配置され、前記第２領域Ｎにあって制御棒より最も遠いコーナ位置を除く全ての前記第１燃料棒は、最高濃縮度からなり、前記第１領域Ｗ側の、制御棒に最も近いコーナ燃料棒と前記水ロッドとを含む最小の正方形領域のうち、最外層から数えて第２層目及び第３層目に位置する燃料棒を含む第３領域Ｌにおいては、前記最高濃縮度よりも低い濃縮度の前記第１燃料棒と、前記最高濃縮度の前記第２燃料棒とを共に含むことを特徴とする沸騰水型原子炉用燃料集合体。
【手続補正２】
【補正対象書類名】明細書
【補正対象項目名】請求項２
【補正方法】変更
【補正の内容】
【請求項２】
最高濃縮度が４．９乃至５．０ｗｔ％の範囲にある核燃料物質からなるペレットを被覆管内に充填した燃料棒群が、９行９列の正方格子配列に規則正しく配置されると共に、燃料棒複数本相当の領域を占める水ロッドを備えたＤ格子炉心形状の沸騰水型原子炉に用いる燃料集合体であって、前記燃料棒群は、可燃性毒物を含有しない第１燃料棒と、可燃性毒物を含有する第２燃料棒とからなり、前記燃料集合体の横断面のうち、最高濃縮度を有する燃料棒を最も多く含む横断面において、最高濃縮度を有する燃料棒の少なくとも１本以上が最外層から内側に向かって順に第１層目、第２層目、第３層目…とする全ての層に配され、前記正方格子配列のうち、制御棒挿入側のコーナ燃料棒に隣り合う２つのコーナ燃料棒を結ぶ対角線上に位置する格子を除く領域を、制御棒挿入側に近い領域を第１領域Ｗと、制御棒挿入側から遠いもう一方の領域を第２領域Ｎとの２つの領域に分割するとき、前記水ロッドは、管状の２本の水ロッドからなると共に、前記対角線上に中心を持つ位置に合計燃料棒７本分の領域を占めて配置され、前記第２領域Ｎにあって制御棒より最も遠いコーナ位置を除く全ての燃料棒は、最高濃縮度からなり、前記第１領域Ｗにあって、最外層から数えて第２層目に位置する第４領域ＬＬ中の燃料棒は、前記最高濃縮度よりも低い濃縮度の前記第１燃料棒を含むことを特徴とする沸騰水型原子炉用燃料集合体。
【手続補正３】
【補正対象書類名】明細書
【補正対象項目名】請求項３
【補正方法】変更
【補正の内容】
【請求項３】
最高濃縮度が４．９乃至５．０ｗｔ％の範囲にある核燃料物質からなるペレットを被覆管内に充填した燃料棒群が、９行９列の正方格子配列に規則正しく配置されると共に、燃料棒複数本相当の領域を占める水ロッドを備えたＤ格子炉心形状の沸騰水型原子炉に用いる燃料集合体であって、前記燃料棒群は、可燃性毒物を含有しない第１燃料棒と、可燃性毒物を含有する第２燃料棒とからなり、前記燃料集合体の横断面のうち、最高濃縮度を有する燃料棒を最も多く含む横断面において、最高濃縮度を有する燃料棒の少なくとも１本以上が最外層から内側に向かって順に第１層目、第２層目、第３層目…とする全ての層に配され、前記正方格子配列のうち、制御棒挿入側のコーナ燃料棒に隣り合う２つのコーナ燃料棒を結ぶ対角線上に位置する格子を除く領域を、制御棒挿入側に近い領域を第１領域Ｗと、制御棒挿入側から遠いもう一方の領域を第２領域Ｎとの２つの領域に分割するとき、前記水ロッドは、管状の２本の水ロッドからなると共に、前記対角線上に中心を持つ位置に合計燃料棒７本分の領域を占めて配置され、前記第１領域Ｗにあって、最外層から数えて第３層目に位置する燃料棒のうち、前記水ロッドに縦又は横方向に隣接しない第５領域ＬＳ中の燃料棒は、前記最高濃縮度の前記第２燃料棒を含むことを特徴とする沸騰水型原子炉用燃料集合体。
【手続補正４】
【補正対象書類名】明細書
【補正対象項目名】０００６
【補正方法】変更
【補正の内容】
【０００６】
公知のとおり、Ｄ格子炉の炉心向け燃料集合体で、かつ、水ロッドが対称位置にある燃料集合体では、出力分担は制御棒側の燃料棒で相対的に大きくなる。このため、対称性のある構造の燃料集合体の場合、２層目及び３層目の燃料棒のうち、沸騰遷移が起こりやすく限界出力が小さくなるのは、出力が高くなりやすい制御棒側の燃料棒である。
【手続補正５】
【補正対象書類名】明細書
【補正対象項目名】０００７
【補正方法】変更
【補正の内容】
【０００７】
これに対し、水ロッドを非対称に配置した燃料集合体においては、制御棒側と反制御棒側の出力分布の差を緩和することができる。しかしながら、燃料集合体の冷却水分布が非均一となる結果、制御棒側の２層目及び３層目付近の限界出力特性は相対的に悪化する傾向にあることが分かっている。この領域は、燃料棒９本分の領域を占める１本の角型形状の水ロッドを有する９×９格子形状の燃料集合体の場合、制御棒に最も近いコーナ燃料棒と水ロッドとを含む最小の正方形領域のうち、最外層から数えて第２層目及び第３層目に位置する燃料棒を含む領域（以下、領域Ｌという。）である。以上は、特開平９−２３６６７６号公報に記載されている。
【手続補正６】
【補正対象書類名】明細書
【補正対象項目名】００１６
【補正方法】変更
【補正の内容】
【００１６】
【課題を解決するための手段】
請求項１に記載された発明に係る沸騰水型原子炉用燃料集合体は、最高濃縮度が４．９乃至５．０ｗｔ％の範囲にある核燃料物質からなるペレットを被覆管内に充填した燃料棒群が、９行９列の正方格子配列に規則正しく配置されると共に、燃料棒複数本相当の領域を占める水ロッドを備えたＤ格子炉心形状の沸騰水型原子炉に用いる燃料集合体であって、前記燃料棒群は、可燃性毒物を含有しない第１燃料棒と、可燃性毒物を含有する第２燃料棒とからなり、前記燃料集合体の横断面のうち、最高濃縮度を有する燃料棒を最も多く含む横断面において、最高濃縮度を有する燃料棒の少なくとも１本以上が最外層から内側に向かって順に第１層目、第２層目、第３層目…とする全ての層に配され、前記正方格子配列のうち、制御棒挿入側のコーナ燃料棒に隣り合う２つのコーナ燃料棒を結ぶ対角線上に位置する格子を除く領域を、制御棒挿入側に近い領域を第１領域Ｗと、制御棒挿入側から遠いもう一方の領域を第２領域Ｎとの２つの領域に分割するとき、前記水ロッドは、燃料棒９本分の領域を占める１本の角型形状の水ロッドであると共に、前記対角線に対し非対称となるように反制御棒側位置にずれて配置され、前記第２領域Ｎにあって制御棒より最も遠いコーナ位置を除く全ての前記第１燃料棒は、最高濃縮度からなり、前記第１領域Ｗ側の、制御棒に最も近いコーナ燃料棒と前記水ロッドとを含む最小の正方形領域のうち、最外層から数えて第２層目及び第３層目に位置する燃料棒を含む第３領域Ｌにおいては、前記最高濃縮度よりも低い濃縮度の前記第１燃料棒と、前記最高濃縮度の前記第２燃料棒とを共に含むものである。
【手続補正７】
【補正対象書類名】明細書
【補正対象項目名】００１７
【補正方法】変更
【補正の内容】
【００１７】
請求項２に記載された発明に係る沸騰水型原子炉用燃料集合体は、最高濃縮度が４．９乃至５．０ｗｔ％の範囲にある核燃料物質からなるペレットを被覆管内に充填した燃料棒群が、９行９列の正方格子配列に規則正しく配置されると共に、燃料棒複数本相当の領域を占める水ロッドを備えたＤ格子炉心形状の沸騰水型原子炉に用いる燃料集合体であって、前記燃料棒群は、可燃性毒物を含有しない第１燃料棒と、可燃性毒物を含有する第２燃料棒とからなり、前記燃料集合体の横断面のうち、最高濃縮度を有する燃料棒を最も多く含む横断面において、最高濃縮度を有する燃料棒の少なくとも１本以上が最外層から内側に向かって順に第１層目、第２層目、第３層目…とする全ての層に配され、前記正方格子配列のうち、制御棒挿入側のコーナ燃料棒に隣り合う２つのコーナ燃料棒を結ぶ対角線上に位置する格子を除く領域を、制御棒挿入側に近い領域を第１領域Ｗと、制御棒挿入側から遠いもう一方の領域を第２領域Ｎとの２つの領域に分割するとき、前記水ロッドは、管状の２本の水ロッドからなると共に、前記対角線上に中心を持つ位置に合計燃料棒７本分の領域を占めて配置され、前記第２領域Ｎにあって制御棒より最も遠いコーナ位置を除く全ての燃料棒は、最高濃縮度からなり、前記第１領域Ｗにあって、最外層から数えて第２層目に位置する第４領域ＬＬ中の燃料棒は、前記最高濃縮度よりも低い濃縮度の前記第１燃料棒を含むものである。
【手続補正８】
【補正対象書類名】明細書
【補正対象項目名】００１８
【補正方法】変更
【補正の内容】
【００１８】
請求項３に記載された発明に係る沸騰水型原子炉用燃料集合体は、最高濃縮度が４．９乃至５．０ｗｔ％の範囲にある核燃料物質からなるペレットを被覆管内に充填した燃料棒群が、９行９列の正方格子配列に規則正しく配置されると共に、燃料棒複数本相当の領域を占める水ロッドを備えたＤ格子炉心形状の沸騰水型原子炉に用いる燃料集合体であって、前記燃料棒群は、可燃性毒物を含有しない第１燃料棒と、可燃性毒物を含有する第２燃料棒とからなり、前記燃料集合体の横断面のうち、最高濃縮度を有する燃料棒を最も多く含む横断面において、最高濃縮度を有する燃料棒の少なくとも１本以上が最外層から内側に向かって順に第１層目、第２層目、第３層目…とする全ての層に配され、前記正方格子配列のうち、制御棒挿入側のコーナ燃料棒に隣り合う２つのコーナ燃料棒を結ぶ対角線上に位置する格子を除く領域を、制御棒挿入側に近い領域を第１領域Ｗと、制御棒挿入側から遠いもう一方の領域を第２領域Ｎとの２つの領域に分割するとき、前記水ロッドは、管状の２本の水ロッドからなると共に、前記対角線上に中心を持つ位置に合計燃料棒７本分の領域を占めて配置され、前記第１領域Ｗにあって、最外層から数えて第３層目に位置する燃料棒のうち、前記水ロッドに縦又は横方向に隣接しない第５領域ＬＳ中の燃料棒は、前記最高濃縮度の前記第２燃料棒を含むものである。